(57)【特許請求の範囲】
【請求項１】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する方法であって、
当該複数の加入者光終端装置を上り光信号を出力しないように指示した状態で、当該局側光終端装置に入射すべき妨害光の光パワー（Ｐ０）を計測する妨害光パワー計測ステップ（Ｓ４）と、
当該複数の加入者光終端装置の何れか１つを指定加入者光終端装置とする指定ステップ（Ｓ５）と、
当該指定加入者光終端装置（ＯＮＵ（ｉ））に、論理リンクを確立する論理リンク確立ステップ（Ｓ６）と、
当該指定加入者光終端装置（ＯＮＵ（ｉ））に、所定上り帯域での上り光信号出力をさせる要求ステップ（Ｓ７）と、
当該要求ステップにより当該局側光終端装置に入射すべき上り光の光パワー（Ｐｉ）を計測する上り光パワー計測ステップ（Ｓ８）と、
当該上り光パワー計測ステップで計測された当該上り光の光パワー（Ｐｉ）が、当該妨害光の光パワー（Ｐ０）に所定閾値を加算した結果以下である場合に、当該加入者光終端装置を障害ＯＮＵ候補とする障害ＯＮＵ候補指定ステップ（Ｓ９，Ｓ１０）と、
当該複数の加入者光終端装置の全部を対象とするまで、当該指定加入者光終端装置（ＯＮＵ（ｉ））を更新して、当該論理リンク確立ステップ（Ｓ６）、当該要求ステップ（Ｓ７）、当該上り光パワー計測ステップ（Ｓ８）及び当該障害ＯＮＵ候補指定ステップ（Ｓ９，Ｓ１０）を実行させる繰り返しステップ（Ｓ１１，Ｓ１２）と、
当該障害ＯＮＵ候補の内で、当該局側光終端装置への伝送距離又は伝送損失の最も小さい加入者光終端装置を障害ＯＮＵと特定する特定ステップ（Ｓ１３）
とを具備し、
当該要求ステップが、当該局側光終端装置が当該指定加入者光終端装置（ＯＮＵ（ｉ））に返信を要求する信号を、所定時間間隔で繰り返し当該指定加入者光終端装置（ＯＮＵ（ｉ））に送信するステップである
ことを特徴とする障害ＯＮＵ特定方法。
【請求項２】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する方法であって、
当該複数の加入者光終端装置を上り光信号を出力しないように指示した状態で、当該局側光終端装置に入射すべき妨害光の光パワー（Ｐ０）を計測する妨害光パワー計測ステップ（Ｓ２４）と、
当該複数の加入者光終端装置を当該局側光終端装置への伝送距離又は伝送損失の小さいものから順に並び替える並び替えステップ（Ｓ２５）と、
当該並び替えステップの並び順の最初の１つを指定加入者光終端装置とする指定ステップ（Ｓ２６）と、
当該指定加入者光終端装置（ＯＮＵ（ｉ））に、論理リンクを確立する論理リンク確立ステップ（Ｓ２７）と、
当該指定加入者光終端装置（ＯＮＵ（ｉ））に、所定上り帯域での上り光信号出力をさせる要求ステップ（Ｓ２８）と、
当該要求ステップにより当該局側光終端装置に入射すべき上り光の光パワー（Ｐｉ）を計測する上り光パワー計測ステップ（Ｓ２９）と、
当該上り光パワー計測ステップで計測された当該上り光の光パワー（Ｐｉ）が、当該妨害光の光パワー（Ｐ０）に所定閾値を加算した結果を超えるか否かを判定する判定ステップ（Ｓ３０）と、
当該判定ステップにおいて、当該上り光の光パワー（Ｐｉ）が当該妨害光の光パワー（Ｐ０）に所定閾値を加算した結果以下である場合に、当該指定加入者光終端装置を障害ＯＮＵとする障害ＯＮＵ特定テップ（Ｓ３１）と、
当該上り光パワー計測ステップで計測された当該上り光の光パワー（Ｐｉ）が、当該妨害光の光パワー（Ｐ０）に所定閾値を加算した結果を超える場合に、当該複数の加入者光終端装置の全部を対象とするまで、当該指定加入者光終端装置（ＯＮＵ（ｉ））を当該並び替えステップ（Ｓ２５）の並び順に更新して、当該論理リンク確立ステップ（Ｓ２７）、当該要求ステップ（Ｓ２８）、当該上り光パワー計測ステップ（Ｓ２９）及び当該判定ステップ（Ｓ３０）を実行させる繰り返しステップ（Ｓ３３，Ｓ３４）
とを具備し、
当該要求ステップが、当該局側光終端装置が当該指定加入者光終端装置（ＯＮＵ（ｉ））に返信を要求する信号を、所定時間間隔で繰り返し当該指定加入者光終端装置（ＯＮＵ（ｉ））に送信するステップである
ことを特徴とする障害ＯＮＵ特定方法。
【請求項３】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する方法であって、
当該複数の加入者光終端装置の１つを指定加入者光終端装置とする指定ステップ（Ｓ４５）と、
当該指定加入者光終端装置（ＯＮＵ（ｉ））に、論理リンクを確立する論理リンク確立ステップ（Ｓ４６）と、
当該指定加入者光終端装置（ＯＮＵ（ｉ））に、所定上り帯域での上り光信号出力をさせる要求ステップ（Ｓ４７）と、
当該要求ステップにより当該局側光終端装置に入射すべき上り光の光パワー（Ｐｉ）を計測する上り光パワー計測ステップ（Ｓ４８）と、
当該複数の加入者光終端装置の全部を対象とするまで、当該指定加入者光終端装置（ＯＮＵ（ｉ））を更新して、当該論理リンク確立ステップ（Ｓ４６）、当該要求ステップ（Ｓ４７）、及び当該上り光パワー計測ステップ（Ｓ４８）を実行させる繰り返しステップ（Ｓ４９，Ｓ５０）と、
当該複数の加入者光終端装置についての当該上り光パワー計測ステップ（Ｓ４８）による当該上り光の光パワーが最小になる加入者光終端装置を障害ＯＮＵと特定する障害ＯＮＵ特定テップ（Ｓ５１）
とを具備し、
当該要求ステップが、当該局側光終端装置が当該指定加入者光終端装置（ＯＮＵ（ｉ））に返信を要求する信号を、所定時間間隔で繰り返し当該指定加入者光終端装置（ＯＮＵ（ｉ））に送信するステップである
ことを特徴とする障害ＯＮＵ特定方法。
【請求項４】
更に、当該指定ステップの前に、当該複数の加入者光終端装置を当該局側光終端装置への伝送距離又は伝送損失の小さいものから順に並び替える並び替えステップ（Ｓ４４）を具備し、
当該指定ステップは、並び替えステップの並び順の最初の１つを指定加入者光終端装置とし、
当該繰り返しステップは、当該指定加入者光終端装置（ＯＮＵ（ｉ））を当該並び替えステップ（Ｓ２５）の並び順に更新する
ことを特徴とする請求項３に記載の障害ＯＮＵ特定方法。
【請求項５】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する装置であって、
当該複数の加入者光終端装置から出力される当該光伝送路を伝送した上り光の光パワーを計測するパワー計（３８）と、
当該複数の加入者光終端装置の何れか１つを指定加入者光終端装置として、当該指定加入者光終端装置との間に論理リンクを確立させ、当該指定加入者光終端装置（ＯＮＵ（ｉ））に所定上り帯域での上り光信号出力をさせる加入者光終端装置制御手段（２２，２４，Ｓ６，Ｓ７）と、
当該複数の加入者光終端装置を上り光信号を出力しないように指示した状態で、当該パワー計に妨害光パワー（Ｐ０）を計測させ、当該加入者光終端装置制御手段に当該指定加入者光終端装置を更新させつつ、当該パワー計に当該指定加入者光終端装置ごとの上り光パワー（Ｐｉ）を計測させる制御手段（２４，Ｓ４，Ｓ８）と、
当該上り光パワー（Ｐｉ）が、当該妨害光の光パワー（Ｐ０）に所定閾値を加算した結果以下である場合に、当該加入者光終端装置を障害ＯＮＵ候補とする障害ＯＮＵ候補指定手段（２４，Ｓ９，Ｓ１０）と、
当該障害ＯＮＵ候補の内で、当該局側光終端装置への伝送距離又は伝送損失の最も小さい加入者光終端装置を障害ＯＮＵと特定する特定手段（２４，Ｓ１３）
とを具備し、
当該加入者光終端装置制御手段は、当該指定加入者光終端装置（ＯＮＵ（ｉ））に返信を要求する信号を、所定時間間隔で繰り返し当該指定加入者光終端装置（ＯＮＵ（ｉ））に送信することで、当該指定加入者光終端装置（ＯＮＵ（ｉ））に所定上り帯域での上り光信号出力をさせる
ことを特徴とする障害ＯＮＵ特定装置。
【請求項６】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する装置であって、
当該複数の加入者光終端装置から出力される当該光伝送路を伝送した上り光の光パワーを計測するパワー計（３８）と、
当該複数の加入者光終端装置を当該局側光終端装置への伝送距離又は伝送損失の小さいものから順に並び替える並び替え手段（２４，Ｓ２５）と、
当該複数の加入者光終端装置の何れか１つを指定加入者光終端装置として、当該指定加入者光終端装置との間に論理リンクを確立させ、当該指定加入者光終端装置（ＯＮＵ（ｉ））に所定上り帯域での上り光信号出力をさせる加入者光終端装置制御手段（２２，２４，Ｓ２７，Ｓ２８）と、
当該複数の加入者光終端装置を上り光信号を出力しないように指示した状態で、当該パワー計に妨害光パワー（Ｐ０）を計測させ、当該加入者光終端装置制御手段に、当該並び替え手段による並びの順番で当該指定加入者光終端装置を更新させつつ、当該パワー計に当該指定加入者光終端装置ごとの上り光パワー（Ｐｉ）を計測させる制御手段（２４，Ｓ２４，Ｓ２９）と、
当該上り光パワー（Ｐｉ）が当該妨害光パワー（Ｐ０）に所定閾値を加算した結果を超えるか否かを判定し、当該上り光の光パワー（Ｐｉ）が当該妨害光の光パワー（Ｐ０）に所定閾値を加算した結果以下である場合に、当該指定加入者光終端装置を障害ＯＮＵとする障害ＯＮＵ特定手段（２４，Ｓ３０，Ｓ３１）
とを具備し、
当該加入者光終端装置制御手段は、当該指定加入者光終端装置（ＯＮＵ（ｉ））に返信を要求する信号を、所定時間間隔で繰り返し当該指定加入者光終端装置（ＯＮＵ（ｉ））に送信することで、当該指定加入者光終端装置（ＯＮＵ（ｉ））に所定上り帯域での上り光信号出力をさせる
ことを特徴とする障害ＯＮＵ特定装置。
【請求項７】
局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する装置であって、
当該複数の加入者光終端装置から出力される当該光伝送路を伝送した上り光の光パワーを計測するパワー計（３８）と、
当該複数の加入者光終端装置の何れか１つを指定加入者光終端装置として、当該指定加入者光終端装置との間に論理リンクを確立させ、当該指定加入者光終端装置（ＯＮＵ（ｉ））に所定上り帯域での上り光信号出力をさせる加入者光終端装置制御手段（２２，２４，Ｓ４６，Ｓ４７）と、
当該加入者光終端装置制御手段に当該指定加入者光終端装置を更新させつつ、当該パワー計に当該指定加入者光終端装置ごとの上り光パワー（Ｐｉ）を計測させる制御手段（２４，Ｓ４８）と、
当該複数の加入者光終端装置の当該上り光パワーが最小になる加入者光終端装置を障害ＯＮＵと特定する障害ＯＮＵ特定手段（２４，Ｓ５１）
とを具備し、
当該加入者光終端装置制御手段は、当該指定加入者光終端装置（ＯＮＵ（ｉ））に返信を要求する信号を、所定時間間隔で繰り返し当該指定加入者光終端装置（ＯＮＵ（ｉ））に送信することで、当該指定加入者光終端装置（ＯＮＵ（ｉ））に所定上り帯域での上り光信号出力をさせる
ことを特徴とする障害ＯＮＵ特定装置。
【請求項８】
更に、当該複数の加入者光終端装置を当該局側光終端装置への伝送距離又は伝送損失の小さいものから順に並び替える並び替え手段（２４，Ｓ２５）を具備し、
当該制御手段は、当該加入者光終端装置制御手段に、当該並び替え手段による並びの順番で当該指定加入者光終端装置を更新させる
ことを特徴とする請求項７に記載の障害ＯＮＵ特定装置。
【発明の詳細な説明】
【技術分野】
【０００１】
本発明は、障害ＯＮＵ特定方法及び装置に関し、より具体的には、ＰＯＮ（Passive Optical Network）システムのような、局側光終端装置ＯＬＴ（Optical Line Terminal）が複数の加入者光終端装置ＯＮＵ（Optical Network Unit）をこれらにより部分的に共用される光伝送路を介して収容する光伝送システムにおいて、妨害光を発するような障害ＯＮＵを特定する方法及び装置に関する。
【背景技術】
【０００２】
加入者へのアクセス回線に光ファイバを使用するＦＴＴＨ（Fiber To The Home）サービスでは、ＰＯＮ（Passive Optical Network）システムが多く用いられている。ＰＯＮシステムは、交換局等に１台の局側光終端装置ＯＬＴ（Optical Line Terminal）を配置し、ＯＬＴに受動光伝送路を介して複数の加入者光終端装置ＯＮＵ（Optical Network Unit）を収容する方式である。受動光伝送路は、ＯＬＴに接続する光ファイバ（共用光ファイバ）と、各加入者光終端装置ＯＮＵに接続する光ファイバ（分岐光ファイバ）と、共用光ファイバと分岐光ファイバとを接続する受動光素子である光カプラからなる。ＯＬＴと共用光ファイバの共有により、設備コストと光ファイバコストを低減することができる。
【０００３】
上りに単一波長を使用するＰＯＮシステムでは、各ＯＮＵの上り光信号伝送にＴＤＭＡ（Time Division Multiplexing Access）方式が採用される。ＯＬＴは、各ＯＮＵに対し、光伝送路上で他のＯＮＵの上り光信号と重複しないように、上り光信号の送信タイミングを指示し、各ＯＮＵは、指示されたタイミング及び時間帯にのみ上り光信号を光ファイバに出力する。
【０００４】
ＯＮＵの障害には、動作しないことを含めＯＬＴからの制御又は指示を単に受け付けない場合と、許可された時間帯以外に光信号（他のＯＮＵにとっての妨害光）を送出する場合とがある。光伝送路をＯＮＵが共用する関係上、後者の場合には、ＯＬＴは、他のＯＮＵからの上り光信号を判別出来なくなることがあり、このような、許可された時間帯を超えて光信号（妨害光）を送出する障害ＯＮＵを早期に特定する技術が必要となる。この障害は、典型的には、上り光信号出力用のレーザダイオードの暴走や制御障害により発生し得る。
【０００５】
特許文献１には、各ＯＮＵに順に全上り帯域を与えて上り光信号を送出させてそのときの上り光パワーを測定し、上り帯域を与えなかった場合と同じ上り光パワーの上り光信号を出力するＯＮＵを障害ＯＮＵと特定する技術が記載されている。
【０００６】
特許文献２には、ＯＬＴが、アイドルパターンを各ＯＮＵに送信してループバックさせ、受信したアイドルパターンとの相関関数を計算することによって、正常に動作するＯＮＵ（以下、正常ＯＮＵという）を識別する方法が記載されている。このようなループバック応答をしないＯＮＵは、何らかの障害を抱えており、交換又は修理が必要となる。
【０００７】
特許文献３には、ＯＮＵの光ファイバからの切り離しの際の挙動を監視してデータベース化し、妨害光の発生時には、当該データベースを参照して、妨害光を出力するＯＮＵを推定することが記載されている。
【０００８】
特許文献４には、ＯＮＵ毎の受信パワーを予め測定し、障害発生時の受信パワー（正常光と妨害光の合計パワー）との比較から障害ＯＮＵを特定することが記載されている。
【０００９】
特許文献５には、ＯＮＵ毎の受信パワーを定期的に測定し、障害発生時の受信パワーが前回測定時（正常時）と比べて最も変化が少なかったものを障害ＯＮＵと特定することが記載されている。
【先行技術文献】
【特許文献】
【００１０】
【特許文献１】特許第４０２０５９７号
【特許文献２】特開２００３−１５８５３１号公報
【特許文献３】特開２００６−３０３６７３号公報
【特許文献４】特開２００８−１０４０２８号公報
【特許文献５】特開２００８−２７７９４７号公報
【発明の概要】
【発明が解決しようとする課題】
【００１１】
従来の技術は、妨害光が発生した状況下でも正常ＯＮＵがＯＬＴからの制御命令に応答することを前提としている。しかし、この前提は、上り通信が不能になることによって正常ＯＮＵの論理リンクが切れる場合には適用できない。実際に、商用で用いられているＥＰＯＮ（Ｅｔｈｅｒｎｅｔ（登録商標）  ＰＯＮ）システムでは、上りが通信不能になると、論理リンクが切れ、ＯＬＴの帯域割当信号に対してＯＮＵは反応できない。
【００１２】
正常光と妨害光の光パワーと、正常光のみの光パワーとの差のみでは、障害ＯＮＵを特定することが難しい。例えば、障害ＯＮＵが近距離にあり、正常ＯＮＵが遠距離にある場合、正常光の光が小さすぎて、差を判別できない場合がある。また、各ＯＮＵの上り光信号用レーザダイオードの出力パワーは、時間の経過とともに変化するし、コストダウンのためにレーザダイオード及びその駆動回路を安価なものにすれば、尚更、各ＯＮＵの光出力パワーの時間的な安定は期待出来ない。そのような状況では、正常光と妨害光の光パワーと、正常光のみの光パワーとの単純な差では、判断を誤りかねない。
【００１３】
本発明は、このような不都合を解決する障害ＯＮＵ特定方法及び障害ＯＮＵ特定装置を提示することを目的とする。
【課題を解決するための手段】
【００１４】
本発明に係る障害ＯＮＵ特定方法は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する方法であって、当該複数の加入者光終端装置を上り光信号を出力しないように指示した状態で、当該局側光終端装置に入射すべき妨害光の光パワーを計測する妨害光パワー計測ステップと、当該複数の加入者光終端装置の何れか１つを指定加入者光終端装置とする指定ステップと、当該指定加入者光終端装置に、論理リンクを確立する論理リンク確立ステップと、当該指定加入者光終端装置に、所定上り帯域での上り光信号出力をさせる要求ステップと、当該要求ステップにより当該局側光終端装置に入射すべき上り光の光パワーを計測する上り光パワー計測ステップと、当該上り光パワー計測ステップで計測された当該上り光の光パワーが、当該妨害光の光パワーに所定閾値を加算した結果以下である場合に、当該加入者光終端装置を障害ＯＮＵ候補とする障害ＯＮＵ候補指定ステップと、当該複数の加入者光終端装置の全部を対象とするまで、当該指定加入者光終端装置を更新して、当該論理リンク確立ステップ、当該要求ステップ、当該上り光パワー計測ステップ及び当該障害ＯＮＵ候補指定ステップを実行させる繰り返しステップと、当該障害ＯＮＵ候補の内で、当該局側光終端装置への伝送距離又は伝送損失の最も小さい加入者光終端装置を障害ＯＮＵと特定する特定ステップとを具備し、当該要求ステップが、当該局側光終端装置が当該指定加入者光終端装置に返信を要求する信号を、所定時間間隔で繰り返し当該指定加入者光終端装置に送信するステップであることを特徴とする。
【００１５】
本発明に係る障害ＯＮＵ特定方法は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する方法であって、当該複数の加入者光終端装置を上り光信号を出力しないように指示した状態で、当該局側光終端装置に入射すべき妨害光の光パワーを計測する妨害光パワー計測ステップと、当該複数の加入者光終端装置を当該局側光終端装置への伝送距離又は伝送損失の小さいものから順に並び替える並び替えステップと、当該並び替えステップの並び順の最初の１つを指定加入者光終端装置とする指定ステップと、当該指定加入者光終端装置に、論理リンクを確立する論理リンク確立ステップと、当該指定加入者光終端装置に、所定上り帯域での上り光信号出力をさせる要求ステップと、当該要求ステップにより当該局側光終端装置に入射すべき上り光の光パワーを計測する上り光パワー計測ステップと、当該上り光パワー計測ステップで計測された当該上り光の光パワーが、当該妨害光の光パワーに所定閾値を加算した結果を超えるか否かを判定する判定ステップと、当該判定ステップにおいて、当該上り光の光パワーが当該妨害光の光パワーに所定閾値を加算した結果以下である場合に、当該指定加入者光終端装置を障害ＯＮＵとする障害ＯＮＵ特定テップと、当該上り光パワー計測ステップで計測された当該上り光の光パワーが、当該妨害光の光パワーに所定閾値を加算した結果を超える場合に、当該複数の加入者光終端装置の全部を対象とするまで、当該指定加入者光終端装置を当該並び替えステップの並び順に更新して、当該論理リンク確立ステップ、当該要求ステップ、当該上り光パワー計測ステップ及び当該判定ステップを実行させる繰り返しステップとを具備し、当該要求ステップが、当該局側光終端装置が当該指定加入者光終端装置に返信を要求する信号を、所定時間間隔で繰り返し当該指定加入者光終端装置に送信するステップであることを特徴とする。
【００１６】
本発明に係る障害ＯＮＵ特定方法は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する方法であって、当該複数の加入者光終端装置の１つを指定加入者光終端装置とする指定ステップと、当該指定加入者光終端装置に、論理リンクを確立する論理リンク確立ステップと、当該指定加入者光終端装置に、所定上り帯域での上り光信号出力をさせる要求ステップと、当該要求ステップにより当該局側光終端装置に入射すべき上り光の光パワーを計測する上り光パワー計測ステップと、当該複数の加入者光終端装置の全部を対象とするまで、当該指定加入者光終端装置を更新して、当該論理リンク確立ステップ、当該要求ステップ、及び当該上り光パワー計測ステップを実行させる繰り返しステップと、当該複数の加入者光終端装置についての当該上り光パワー計測ステップによる当該上り光の光パワーが最小になる加入者光終端装置を障害ＯＮＵと特定する障害ＯＮＵ特定テップとを具備し、当該要求ステップが、当該局側光終端装置が当該指定加入者光終端装置に返信を要求する信号を、所定時間間隔で繰り返し当該指定加入者光終端装置に送信するステップであることを特徴とする。
【００１７】
本発明に係る障害ＯＮＵ特定装置は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する装置であって、当該複数の加入者光終端装置から出力される当該光伝送路を伝送した上り光の光パワーを計測するパワー計と、当該複数の加入者光終端装置の何れか１つを指定加入者光終端装置として、当該指定加入者光終端装置との間に論理リンクを確立させ、当該指定加入者光終端装置に所定上り帯域での上り光信号出力をさせる加入者光終端装置制御手段と、当該複数の加入者光終端装置を上り光信号を出力しないように指示した状態で、当該パワー計に妨害光パワーを計測させ、当該加入者光終端装置制御手段に当該指定加入者光終端装置を更新させつつ、当該パワー計に当該指定加入者光終端装置ごとの上り光パワーを計測させる制御手段と、当該上り光パワーが、当該妨害光の光パワーに所定閾値を加算した結果以下である場合に、当該加入者光終端装置を障害ＯＮＵ候補とする障害ＯＮＵ候補指定手段と、当該障害ＯＮＵ候補の内で、当該局側光終端装置への伝送距離又は伝送損失の最も小さい加入者光終端装置を障害ＯＮＵと特定する特定手段とを具備し、当該加入者光終端装置制御手段は、当該指定加入者光終端装置に返信を要求する信号を、所定時間間隔で繰り返し当該指定加入者光終端装置に送信することで、当該指定加入者光終端装置に所定上り帯域での上り光信号出力をさせることを特徴とする。
【００１８】
本発明に係る障害ＯＮＵ特定装置は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する装置であって、当該複数の加入者光終端装置から出力される当該光伝送路を伝送した上り光の光パワーを計測するパワー計と、当該複数の加入者光終端装置を当該局側光終端装置への伝送距離又は伝送損失の小さいものから順に並び替える並び替え手段と、当該複数の加入者光終端装置の何れか１つを指定加入者光終端装置として、当該指定加入者光終端装置との間に論理リンクを確立させ、当該指定加入者光終端装置に所定上り帯域での上り光信号出力をさせる加入者光終端装置制御手段と、当該複数の加入者光終端装置を上り光信号を出力しないように指示した状態で、当該パワー計に妨害光パワーを計測させ、当該加入者光終端装置制御手段に、当該並び替え手段による並びの順番で当該指定加入者光終端装置を更新させつつ、当該パワー計に当該指定加入者光終端装置ごとの上り光パワーを計測させる制御手段と、当該上り光パワーが当該妨害光パワーに所定閾値を加算した結果を超えるか否かを判定し、当該上り光の光パワーが当該妨害光の光パワーに所定閾値を加算した結果以下である場合に、当該指定加入者光終端装置を障害ＯＮＵとする障害ＯＮＵ特定手段とを具備し、当該加入者光終端装置制御手段は、当該指定加入者光終端装置に返信を要求する信号を、所定時間間隔で繰り返し当該指定加入者光終端装置に送信することで、当該指定加入者光終端装置に所定上り帯域での上り光信号出力をさせることを特徴とする。
【００１９】
本発明に係る障害ＯＮＵ特定装置は、局側光終端装置（ＯＬＴ：Optical Line Terminal）が複数の加入者光終端装置（ＯＮＵ：Optical Network Unit）をこれらにより部分的に共用される光伝送路を介して収容する光伝送システムにおいて、妨害光を発する障害ＯＮＵを特定する装置であって、当該複数の加入者光終端装置から出力される当該光伝送路を伝送した上り光の光パワーを計測するパワー計と、当該複数の加入者光終端装置の何れか１つを指定加入者光終端装置として、当該指定加入者光終端装置との間に論理リンクを確立させ、当該指定加入者光終端装置に所定上り帯域での上り光信号出力をさせる加入者光終端装置制御手段と、当該加入者光終端装置制御手段に当該指定加入者光終端装置を更新させつつ、当該パワー計に当該指定加入者光終端装置ごとの上り光パワーを計測させる制御手段と、当該複数の加入者光終端装置の当該上り光パワーが最小になる加入者光終端装置を障害ＯＮＵと特定する障害ＯＮＵ特定手段とを具備し、当該加入者光終端装置制御手段は、当該指定加入者光終端装置に返信を要求する信号を、所定時間間隔で繰り返し当該指定加入者光終端装置に送信することで、当該指定加入者光終端装置に所定上り帯域での上り光信号出力をさせることを特徴とする。
【発明の効果】
【００２０】
本発明によれば、ＰＯＮシステムの障害ＯＮＵを正確に特定できるようになる。
【図面の簡単な説明】
【００２１】
【図１】本発明の一実施例の概略構成ブロック図である。
【図２】ＯＮＵ情報の一例である。
【図３】図１に示す実施例の動作フローチャートである。
【図４】図１に示す実施例の別の動作フローチャートである。
【図５】図１に示す実施例の更に別の動作フローチャートである。
【図６】図５に示す動作フローでのＯＮＵ（ｉ）対上り光パワー計測値Ｐｉの一例である。
【図７】ＯＬＴと別体にした障害ＯＮＵ特定装置の概略構成ブロック図である。
【発明を実施するための形態】
【００２２】
以下、図面を参照して、本発明の実施例を詳細に説明する。
【実施例１】
【００２３】
図１は、本発明の一実施例の概略構成ブロック図を示す。
【００２４】
本実施例の構成と基本動作を簡単に説明する。センター局に配備されるＯＬＴ１０は共用光ファイバ１２を介して光カプラ１４に接続し、光カプラ１４は、個々の分岐光ファイバ１６−１〜１６−ｎを介して加入者宅のＯＮＵ１８−１〜１８−ｎに接続する。光カプラ１４は、共用光ファイバ１２から入力する下り光信号をｎ分割し、分割された各下り光信号を分岐光ファイバ１６−１〜１６−ｎに供給し、分岐光ファイバ１６−１〜１６−ｎから入力する上り光信号を共用光ファイバ１２に出力する受動光素子である。共用光ファイバ１２、光カプラ１４及び分岐光ファイバ１６−１〜１６−ｎが、ＯＬＴ１０とＯＮＵ１８−１〜１８−ｎとを光学的に接続するＰＯＮ光伝送路を構成する。
【００２５】
ＯＬＴ１０はまた、そのネットワークネットワークインターフェース（ＮＮＩ）２０で上流ネットワークに接続する。ＮＮＩ２０は、上流ネットワークからの何れかのＯＮＵ１８−１〜１８−ｎに向けた下り信号（下りデータフレーム）を下り転送装置２２に供給する。下り転送装置２２には更に、ＯＬＴ１０の全体を制御するＣＰＵ２４から、ＯＬＴ１０が各ＯＮＵ１８−１〜１８−ｎを管理するための制御信号又は制御フレームも入力する。この制御信号の詳細は、後述する。
【００２６】
下り転送装置２２は、ＮＮＩ２０からの下りデータフレームにＣＰＵ２４からの制御フレームを時間軸上で多重し、所定のフレーム構成で電気／光変換器（Ｅ／Ｏ変換器）２６に供給する。一般に、下り転送装置２２は、下りデータフレームより制御フレームを優先してＥ／Ｏ変換器２６に供給する。制御フレームには、帯域割当用のＧａｔｅフレームや、Ｄｉｓｃｏｖｅｒｙ＿ＧＡＴＥフレームがある。
【００２７】
Ｅ／Ｏ変換器２６は、所定波長でレーザ発振するレーザダイオードからなり、下り転送装置２２からの電気信号を光信号（下り光信号）に変換する。ＷＤＭ（波長分割多重）光カプラ２８は、Ｅ／Ｏ変換器２６からの下り光信号を共用光ファイバ１２に出力する。
【００２８】
下り光信号は、共用光ファイバ１２を伝送し、光カプラ１４で分割され、分岐光ファイバ１６−１〜１６−ｎを伝送してＯＮＵ１８−１〜１８−ｎに到達する。ＯＮＵ１８−１〜１８−ｎは、対応する分岐光ファイバ１６−１〜１６−ｎから入力する下り光信号を電気信号に変換してから自己宛てか否かを判別し、自己宛ての場合に当該下り光信号で搬送される信号（下りデータ又はＯＬＴ１０からの制御フレーム）を取り込む。
【００２９】
各ＯＮＵ１８−１〜１８−ｎは、正常である限り、ＯＬＴ１０により指定されたタイミング又は時間帯に上り光信号を、対応する分岐光ファイバ１６−１〜１６−ｎに送出する。上り光信号の波長は、下り光信号の波長とは異なる。この上り光信号は、分岐光ファイバ１６−１〜１６−ｎを伝送し、光カプラ１４により光ファイバ１２上に時間軸上で多重され、ＯＬＴ１０のＷＤＭ光カプラ２８に入力する。
【００３０】
ＷＤＭ光カプラ２８は共用光ファイバ１２から入力する上り光信号を光／電気変換器（Ｏ／Ｅ変換器）３０に供給する。Ｏ／Ｅ変換器３０は受光素子からなり、ＷＤＭ光カプラ２８からの上り光信号を電気信号に変換する。スイッチ３２は、Ｏ／Ｅ変換器３０の出力電気信号を常時は、上り転送装置３４に接続し、障害ＯＮＵ特定のためのパワー計測の際にパワー計３８に接続する。もちろん、スイッチ３２を無くし、Ｏ／Ｅ変換器３０の出力電気信号を、常時、上り転送装置３４とパワー計３８の両方に供給しても良い。
【００３１】
上り転送装置３４に入力する上り信号は、ＯＬＴ１０に向けた制御フレーム（制御信号又は応答信号等）と、上流ネットワークに向けた上りデータフレーム又は上りデータ信号からなり、上り転送装置３４は、前者をＣＰＵ２４に供給し、後者をＮＮＩ２０に供給する。前者には、Ｇａｔｅフレームに対する返信で私用されるＲｅｐｏｒｔフレーム、並びに、ディスカバリー手順で用いられるＲｅｇｉｓｔｅｒ＿ＲＥＱフレーム及びＲｅｇｉｓｔｅｒ＿ＡＣＫフレーム等がある。ＮＮＩ２０は、上り転送装置３４からの上りデータフレームを所定の伝送フレーム構成及びプロトコルで上流ネットワークに出力する。
【００３２】
ＯＬＴ１０は、ディスカバリー（Discovery）手順によりＯＮＵ１８−１〜１８−ｎを認識し、認識した各ＯＮＵ１８−１〜１８−ｎに論理リンクを付与する。ディスカバリー（Discovery）手順の詳細は後述する。ＯＬＴ１０は、各ＯＮＵ１８−１〜１８−ｎを管理するためにメモリ３６にＯＮＵ情報３６ａを格納する。ＯＮＵ情報３６ａは、各ＯＮＵ１８−１〜１８−ｎについて、ＯＮＵを特定するレコード番号（例えば、シリアル番号）、ＭＡＣアドレス、及び、距離情報からなる。距離の代わりに、往復遅延時間ＲＴＴ（Round Trip Time）であってもよい。図２は、ＯＮＵ情報３６ａの一例を示す。距離情報（又は往復遅延時間）は、各ＯＮＵ１８−１〜１８−ｎが、ＴＤＭＡにより互いに衝突せずに上り光信号を出力するタイミング及び期間を決定するのに必要となる。
【００３３】
ＣＰＵ２４は、障害ＯＮＵの特定のために、パワー計３８により、障害ＯＮＵが存在しないときの上り光信号の光パワーを計測し、そのパワー計測値３６ｂをメモリ３６に格納する。この動作の詳細は後述する。
【００３４】
図３は、本実施例の動作フローチャートを示す。ＣＰＵ２４は、障害ＯＮＵを検知するまでは（Ｓ３）、未登録ＯＮＵをディスカバリー手順で登録し（Ｓ１）、登録ＯＮＵに、順番に所定の帯域を割り当てて、上り送信を許可する（Ｓ２）。なお、ステップＳ１は、登録ＯＮＵに順番に上り送信を許可する間に、一定時間間隔で起動される。
【００３５】
ＩＥＥＥ８０２．３−２００８で標準化されているＥＰＯＮの場合の、未登録ＯＮＵを登録する手順（Ｓ１）を具体的に説明する。ＯＬＴ１０は、電源オンによる起動時、又は、その後の一定期間毎に、全ＯＮＵ１８−１〜１８−ｎの内の未知（未登録）のＯＮＵに向けて、光ファイバ１２を介してＤｉｓｃｏｖｅｒｙ＿ＧＡＴＥフレームを送信する。Ｄｉｓｃｏｖｅｒｙ＿ＧＡＴＥフレームは、ＯＬＴ１０のタイムスタンプ情報を送信先のＯＮＵに通知するとともに、ＯＮＵが登録要求フレームＲｅｇｉｓｔｅｒ＿ＲＥＱを返信可能な時刻と時間幅からなるディスカバリースロットサイズ（Discovery Slot Size）を指定する。ＯＬＴ１０は、未登録ＯＮＵからの登録要求（Ｒｅｇｉｓｔｅｒ＿ＲＥＱ）フレームがすべて、所定の時間内（Ｄｉｓｃｏｖｅｒｙ  Ｗｉｎｄｏｗ内）にＯＬＴ１０に到達するように、ディスカバリースロットサイズを設定する。
【００３６】
Ｄｉｓｃｏｖｅｒｙ＿ＧＡＴＥを受信した未登録ＯＮＵは、Ｄｉｓｃｏｖｅｒｙ＿ＧＡＴＥを受信した後、ランダムに決定される遅れ時間の経過を待って、Ｒｅｇｉｓｔｅｒ＿ＲＥＱと呼ばれる登録要求フレームをＯＬＴ１０に向けて送信する。各未登録ＯＮＵの遅れ時間がランダムに決定されることで、各未登録ＯＮＵの出力するＲｅｇｉｓｔｅｒ＿ＲＥＱが、ＯＬＴ１０から通知されるディスカバリースロットサイズ内で一様に分布するようになり、光伝送路上で衝突する確率を低減出来る。各未登録ＯＮＵは、登録要求フレーム（Ｒｅｇｉｓｔｅｒ＿ＲＥＱ）で、自身のＭＡＣアドレスをＯＬＴ１０に通知する。
【００３７】
ＯＬＴ１０は、登録要求フレーム（Ｒｅｇｉｓｔｅｒ＿ＲＥＱ）を受信すると、送信元の未登録ＯＮＵに対し、論理リンクを設定するための、Ｒｅｇｉｓｔｅｒフレーム（登録フレーム）（及び、登録承認（Ｒｅｇｉｓｔｅｒ＿ＡＣＫ）を返信するためのＮｏｒｍａｌ  Ｇａｔｅフレーム）を送信する。このＲｅｇｉｓｔｅｒフレームは、付与された論理リンクの識別番号（ＬＬＩＤ）を通知するものである。Ｒｅｇｉｓｔｅｒフレームを受けた未登録ＯＮＵは、Ｒｅｇｉｓｔｅｒフレームに対応する登録承認（Ｒｅｇｉｓｔｅｒ＿ＡＣＫ）フレームをＯＬＴ１０に送信する。これにより、ＯＬＴ１０は、この未登録ＯＮＵを登録して、ディスカバリー手順を終了する。登録されたＯＮＵの基礎情報がＯＮＵ情報３６ａにも記録される。なお、登録（Ｒｅｇｉｓｔｅｒ）フレームを受けた各ＯＮＵは、登録フレームで通知されたＬＬＩＤを記憶し、以後のデータ通信に使用する。
【００３８】
ステップＳ２では、ＣＰＵ２４は、登録ＯＮＵを順番に指定して、Ｇａｔｅフレームで送信を許可し、Ｇａｔｅフレームを受信した登録ＯＮＵは、許可された送信タイミングにＲｅｐｏｒｔフレームで上りデータを送信する。
【００３９】
ステップＳ１，Ｓ２により登録ＯＮＵ、例えば、ＯＮＵ１８−１〜１８−ｎは、ＯＬＴ１０による送信許可の下で、上り信号を送信できる。
【００４０】
ＯＬＴ１０が何れかのＯＮＵが妨害光を出力する障害ＯＮＵになったことを検知したとする（Ｓ３）。これは、全登録ＯＮＵのリンクが断になることで判断出来る。障害ＯＮＵを検知する他の手段として、Ｏ／Ｅ変換器３０の出力信号により上り光パワーを常時モニタしている場合には、本来存在しない期間に上り光が存在すること、想定範囲以上に強い上り光が存在すること、又は、常時、一定以上の光パワーの上り光が存在すること等で判断出来る。
【００４１】
ＣＰＵ２４は、スイッチ３２を端子Ｂ（パワー計３８）の側に切り替え、パワー計３８に上り光の光パワーを計測させる（Ｓ４）。ＣＰＵ２４は、このときのパワー計３８による光パワー計測値Ｐ０をメモリ３６に格納する。正常に動作しているＯＮＵが上り光信号を出力する可能性がある場合には、その上り光信号出力を禁止するなり、全ＯＮＵの論理リンクを断としてから、上り光パワーを計測する。光パワー計測値Ｐ０は、障害ＯＮＵが出力する妨害光の光パワーを代表する。
【００４２】
次に、登録ＯＮＵの１台ずつに対し、論理リンクを確立して全帯域で上り光信号を送信させ、そのときの上り光パワーを計測する（Ｓ５〜Ｓ８）。
【００４３】
まず、対象の登録ＯＮＵを指定する変数ｉに１を代入する（Ｓ５）。ｉは、ＯＮＵ情報３６ａに格納され登録ＯＮＵのうちのｉ番目のＯＮＵ（ＯＮＵ（ｉ）と表記する）を示す。
【００４４】
ＯＬＴ１０は、ＯＮＵ（ｉ）に対してディスカバリー手順により、論理リンクを暫定的に確立する（Ｓ６）。すなわち、ＯＬＴ１０は、光ファイバ１２にＤｉｓｃｏｖｅｒｙ＿ＧＡＴＥフレームを送信する。このＤｉｓｃｏｖｅｒｙ＿ＧＡＴＥフレームに対して、登録ＯＮＵ、及び、存在する場合には未登録のＯＮＵは、Ｒｅｇｉｓｔｅｒ＿ＲＥＱフレームをＯＬＴ１０に返信する。しかし、この手続きでは、ＯＬＴは、Ｒｅｇｉｓｔｅｒ＿ＲＥＱフレームを無視し、ＯＮＵ（ｉ）に対して、論理リンクを設定するための、Ｒｅｇｉｓｔｅｒフレーム（登録フレーム）（及び、登録承認（Ｒｅｇｉｓｔｅｒ＿ＡＣＫ）を返信するためのＮｏｒｍａｌ  Ｇａｔｅフレーム）を送信する。Ｒｅｇｉｓｔｅｒフレームを受けたＯＮＵ（ｉ）は、Ｒｅｇｉｓｔｅｒフレームに対応する登録承認（Ｒｅｇｉｓｔｅｒ＿ＡＣＫ）フレームをＯＬＴ１０に送信するが、ＯＬＴ１０は、このＲｅｇｉｓｔｅｒ＿ＡＣＫフレームを無視する。妨害光に埋もれて適切に受信出来ない場合があるからであり、また、全帯域送信許可に必須ではないからである。
【００４５】
このようにして、ＯＮＵ（ｉ）の論理リンクが確立すると（Ｓ６）、ＯＬＴ１０は、ＯＮＵ（ｉ）に全上り帯域での上り光信号の出力を指示し、ＯＮＵ（ｉ）は、この指示に対して全上り帯域を使う上り光信号を出力する（Ｓ７）。具体的には、ＯＬＴ１０はＯＮＵ（ｉ）に所定間隔で連続的にＧａｔｅフレームを送信し、ＯＮＵ（ｉ）は、このＧａｔｅフレームに応答するＲｅｐｏｒｔフレームを送信する。ＯＮＵ（ｉ）は、連続的にＧａｔｅフレームを受信するので、結果的に、連続的にＲｅｐｏｒｔフレームを送信することになる。このような連続的なＲｅｐｏｒｔフレームの送信により、ＯＮＵ（ｉ）は全上り帯域を消費する上り光信号を送信する。
【００４６】
通常のＰＯＮシステムでは、上り方向に妨害光が存在した場合、ＯＬＴはＯＮＵからの信号を受信できず、ＯＬＴが定期的に送信するＧａｔｅフレームに対する返信としてのＲｅｐｏｒｔフレームを受信しないので、Ｇａｔｅフレームの送信を止めてしまう。すると、ＯＮＵは、Ｇａｔｅフレームを受信しなくなるので、一定期間は論理リンクを保持するものの、最終的に自身に割り当てられる論理リンクを消去する。
【００４７】
これに対し、本実施例では、ＯＬＴ１０は、ＯＮＵ（ｉ）からのＲｅｐｏｒｔフレームを受信するか否かに関わらず、ＧａｔｅフレームをＯＮＵ（ｉ）に連続的に繰り返し送信するので、ＯＮＵ（ｉ）は論理リンクを保持し続ける。すなわち、ＯＬＴ１０は、先に送信したＧａｔｅフレームに対する返信としてのＲｅｐｏｒｔフレームの受信を待たずに、ＧａｔｅフレームをＯＮＵ（ｉ）に送信する。Ｒｅｐｏｒｔフレームは、送信すべきデータが無い場合にも、送信出来ることになっているので、ＯＮＵ（ｉ）が送信すべきデータを持たなくても、全上り帯域を使った上り光信号の送信が可能になる。
【００４８】
ＣＰＵ２４は、パワー計３８に上り光パワーＰｉを計測させる（Ｓ８）。このとき計測される上り光は、障害ＯＮＵからの妨害光とＯＮＵ（ｉ）からの上り信号光からなり、パワー変動を無視すれば、Ｐｉ＞Ｐ０である。他方、ＯＮＵ（ｉ）が障害ＯＮＵであれば、上り光は妨害光のみからなり、パワー変動を無視すれば、ＰｉはＰ０に等しい。
【００４９】
ＣＰＵ２４は、ＰｉとＰ０の差Ｐｉ−Ｐ０が所定の閾値Ｐｔを超えるか否かを判定する（Ｓ９）。Ｐｔは正値であり、パワー変動を考慮して予め決定される。Ｐｉ−Ｐ０＞Ｐｔでない場合（Ｓ９）、ＣＰＵ２４は、ＯＮＵ（ｉ）を障害ＯＮＵ候補として記憶する（Ｓ１０）。
【００５０】
ステップＳ９又はＳ１０の後、ｉをインクリメントする（Ｓ１１）。そして、ｉが登録ＯＮＵ数を超えるまで（Ｓ１２）、ステップＳ６〜Ｓ１１を繰り返す。
【００５１】
このようにして、障害ＯＮＵを検知する前の全登録ＯＮＵに対して、個別的に全上り帯域での光送信を実行させて上り光パワーを計測し、障害ＯＮＵのみが妨害光を出しているときの上り光パワーと比較することで、障害ＯＮＵを絞り込むことができる。
【００５２】
この段階では、複数の障害ＯＮＵ候補が存在し得る。そこで、本実施例では、障害ＯＮＵ候補のうちで、最も近いＯＮＵ（光学的には最も伝送損失が少ないＯＮＵ）を障害ＯＮＵとして特定する（Ｓ１３）。障害ＯＮＵ候補が一つも存在しない場合、障害ＯＮＵの特定を失敗したことになる。例えば、閾値Ｐｔを小さくして、図３に示すフローを実行し直してもよい。
【００５３】
例えば、近距離のＯＮＵ１８−１に全帯域与えた場合も遠距離のＯＮＵ１８−２に全帯域を与えた場合も、ＯＬＴ１０で計測される上り光パワーに有意な差がなかったとする。遠距離のＯＮＵ１８−２が障害ＯＮＵであると仮定した場合、近距離のＯＮＵ１８−１が上り光信号を出力しないときと、全帯域を使って上り光信号を送信するときとでは、後者の方が、ＯＬＴ１０で計測される上り光パワーは大きい。但し、ＯＮＵ１８−１が近距離に位置することから、両者間には有意な光パワー差があるはずである。
【００５４】
これに対し、近距離のＯＮＵ１８−１が障害ＯＮＵであると仮定した場合、遠距離のＯＮＵ１８−２が上り光信号を出力しないときと、全帯域を使って上り光信号を送信するときとでは、後者の方が、ＯＬＴ１０で計測される上り光パワーは大きいはずであるが、ＯＮＵ１８−１が近距離に位置することから、両者間の光パワー差は小さい。
【００５５】
従って、距離の異なる２つのＯＮＵの何れかが障害ＯＮＵである場合で、何れのＯＮＵに全帯域を付与しても、ＯＬＴでの上り光パワーに有意な差が検出されないときには、近距離のＯＮＵが障害ＯＮＵである可能性が高いということになる。よって、本実施例では、複数の障害ＯＮＵ候補がある場合、最も近いＯＮＵを障害ＯＮＵと特定する。
【００５６】
伝送距離は伝送損失と対応するので、伝送損失に対しても同様のことが言える。すなわち、複数の障害ＯＮＵ候補がある場合、最も伝送損失が少ないＯＮＵを障害ＯＮＵと特定する。上り光パワーに有意な差がない障害ＯＮＵ候補が３台以上あった場合も、距離又は伝送損失についての同様な論理展開で障害ＯＮＵを特定出来る。どのＯＮＵも光カプラの分岐先に接続されるＰＯＮシステムでは、距離と伝送損失との相関関係は明白である。バス型のＰＯＮシステムの場合には、カプラ網の分岐比により、伝送損失を使って障害ＯＮＵを特定出来る。伝送距離、伝送損失および分岐比はいずれも、光学的な遠近として統一的に評価できる。
【００５７】
ＣＰＵ２４はＮＮＩ４０及び監視ネットワークを介して監視センター（図示せず）に、特定した障害ＯＮＵを通知する（Ｓ１４）。
【００５８】
本実施例では、妨害光のみの場合の上り光りパワーと、妨害光に上り信号光を加算した場合の上り光パワーを単純に比較するのではなく、所定閾値を超える上り光パワー差により障害ＯＮＵの可能性を判定するので、ＯＮＵの出力光パワーの経時変化による誤判定は低減出来る。
【実施例２】
【００５９】
図４は、図３に示すフローの変更例を示す。図３に示すフローでは、登録ＯＮＵの中から１つのＯＮＵを指定して（Ｓ５）、論理リンクの確立（Ｓ６）、全上り帯域を使っての上り光送信（Ｓ７）、上りパワーの比較（Ｓ８，Ｓ９）を行ったが、図４では、近距離（低伝送損失）の登録ＯＮＵから順にこれらを行い、Ｐｉ−Ｐ０＞Ｐｔを満たさない登録ＯＮＵが発見された段階で、その登録ＯＮＵを障害ＯＮＵと特定する。
【００６０】
図４のステップＳ２１〜Ｓ２４は、それぞれ、図３のステップＳ１〜Ｓ４と同じであるのであるので、詳細な説明を省略する。
【００６１】
ステップ４に相当するステップＳ２４に前後して、ＣＰＵ２４は、登録ＯＮＵを距離の近い順（又は伝送損失の少ない順）にソートする（Ｓ２５）。変数ｉはステップＳ２５でソートされた順番を示し、先ず、１がセットされる（Ｓ２６）。ステップＳ２７〜Ｓ３０は、図３のステップＳ６〜Ｓ９にそれぞれ対応している。すなわち、まず、最も近い登録ＯＮＵ（ｉ）について、論理リンクの確立（Ｓ２７）、全上り帯域を使っての上り光送信（Ｓ２８）、上りパワーの比較（Ｓ２９，Ｓ３０）を行うことになる。
【００６２】
Ｐｉ−Ｐ０＞Ｐｔを満たさない登録ＯＮＵが発見されると（Ｓ３０）、その登録ＯＮＵを障害ＯＮＵと特定し（Ｓ３１）、その障害ＯＮＵをＮＮＩ４０及び監視ネットワークを介して監視センター（図示せず）に通知して（Ｓ３２）、終了する。
【００６３】
Ｐｉ−Ｐ０＞Ｐｔである場合（Ｓ３０）、ｉをインクリメントし（Ｓ３３）、次の登録ＯＮＵについて、ステップＳ２７〜Ｓ３０を繰り返す。インクリメントしたｉが登録ＯＮＵ数を超えると（Ｓ３４）、全登録ＯＮＵを調べ終えたことになる。この場合、ＣＰＵ２４は、障害ＯＮＵ特定処理を終了する。ＣＰＵ２４は、実施例１と同様に、例えば、閾値Ｐｔを小さくして、図４に示すフローを実行し直してもよい。
【実施例３】
【００６４】
図５は、図３に示すフローの別の変更例を示す。図５に示すフローでは、登録ＯＮＵに全上り帯域を使っての上り光送信をさせた時の上り光パワー計測値が最小になるＯＮＵを障害ＯＮＵと特定する。
【００６５】
図５のステップＳ４１〜Ｓ４３は、それぞれ、図３のステップＳ１〜Ｓ３と同じであるのであるので、詳細な説明を省略する。ステップＳ４に相当する処理は不要になる。
【００６６】
障害が検知されると（Ｓ４３）、ＣＰＵ２４は、登録ＯＮＵを距離の近い順（又は伝送損失の少ない順）にソートする（Ｓ４４）。変数ｉはステップＳ４４でソートされた順番を示し、先ず、１がセットされる（Ｓ４５）。ステップＳ４６〜Ｓ４８は、図３のステップＳ６〜Ｓ８にそれぞれ対応している。すなわち、まず、最も近い登録ＯＮＵ（ｉ）について、論理リンクの確立（Ｓ４６）、全上り帯域を使っての上り光送信（Ｓ４７）、上り光パワーの計測（Ｓ４８）を行う。
【００６７】
ＯＮＵを特定する変数ｉをインクリメントし（Ｓ４９）、次の登録ＯＮＵについて、ステップＳ４６〜Ｓ４８を繰り返す。インクリメントしたｉが登録ＯＮＵ数を超えると（Ｓ５０）、全登録ＯＮＵを調べ終えたことになる。
【００６８】
ＣＰＵ２４は、上りパワー計測値Ｐｉが最小となるＯＮＵ（ｉ）を障害ＯＮＵと特定する（Ｓ５１）。妨害光を出力しているＯＮＵに全上り帯域を付与したときには、ＯＬＴに入射する上り光は妨害光のみとなり、このときの光パワー計測値は最小になるからである。図６は、伝送距離の近い順に並べた登録ＯＮＵと上り光パワーの計測例である。横軸は、伝送距離順のＯＮＵを示し、縦軸は、上り光パワー計測値Ｐｉを示す。図６に示す例では、８番目のＯＮＵに対する上り光りパワーが最低となり、このＯＮＵが障害ＯＮＵと特定される。距離順に並べることにより、上り光パワー計測値Ｐｉが最小となるＯＮＵを特定しやすくなる。
【００６９】
ＣＰＵ２４は、特定された障害ＯＮＵをＮＮＩ４０及び監視ネットワークを介して監視センター（図示せず）に通知して（Ｓ５２）、終了する。
【実施例４】
【００７０】
障害ＯＮＵを特定する機能をＯＬＴ１０に組み込んだ実施例を説明したが、ＯＬＴ１０とは別体の専用装置として構成しても良いことは明らかである。その障害ＯＮＵ特定装置は、図１に示す実施例のＯＬＴ１０の機能の内、図３乃至図５で説明した障害ＯＮＵ特定処理（図３のステップＳ４以降、図４のステップＳ２４以降及び図５のステップＳ４４以降）に必要な機能要素を具備すればよい。図７は、ＯＬＴとは別体に構成した障害ＯＮＵ特定装置の概略構成ブロック図を示す。
【００７１】
図７で、ＯＬＴ１１０は、ＯＬＴ１０から障害ＯＮＵ特定機能を除外したもの、すなわち、既存のＯＬＴである。ＯＬＴ１１０が障害ＯＮＵを検知すると（図３のステップＳ３、図４のステップＳ２３又は図５のステップＳ４３）、オペレータ又は保守要員が、光ファイバ１２をＯＬＴ１１０から外して障害ＯＮＵ特定装置１１１に接続し、障害ＯＮＵ特定装置１１１を起動する。
【００７２】
障害ＯＮＵ特定装置１１１の全体を制御するＣＰＵ１２４は、障害検知時点での登録ＯＮＵの情報をＯＬＴ１１０から受け取り、メモリ１３６にＯＮＵ情報３６ａとして格納する。Ｅ／Ｏ変換器１２６、ＷＤＭ光カプラ１２８及びＯ／Ｅ変換器１３０の機能は、それぞれ、図１に示す実施例の、Ｅ／Ｏ変換器２６、ＷＤＭ光カプラ２８及びＯ／Ｅ変換器３０のそれと同じである。
【００７３】
フレーム生成装置１２２は、ＯＮＵ（ｉ）のリンク確立（Ｓ６，Ｓ２７，Ｓ４６）で必要な、Ｄｉｓｃｏｖｅｒｙ＿ＧＡＴＥフレーム、Ｒｅｇｉｓｔｅｒフレーム（登録フレーム）（及び、登録承認（Ｒｅｇｉｓｔｅｒ＿ＡＣＫ）を返信するためのＮｏｒｍａｌ  Ｇａｔｅフレーム）を生成し、ＯＮＵ（ｉ）による全上り帯域を使う上り光信号の送信（Ｓ７，Ｓ２８，Ｓ４７）に必要な、所定間隔で連続するＧａｔｅフレームを生成する。
【００７４】
パワー計１３８は、ＣＰＵ１２４の制御下で、ステップＳ４，Ｓ２４での上り光パワー（Ｐ０）の計測、及びステップＳ８，Ｓ２９，Ｓ４８での上り光パワー（Ｐｉ）の計測を実行し、各計測結果をＣＰＵ１２４に伝達する。
【００７５】
ＣＰＵ１２４はパワー計１３８により計測された上り光パワーＰ０，Ｐｉを使って、図３乃至図５に示すフローに従い障害ＯＮＵを特定し、必要により、オペレータ又は監視センターに通知する。
【００７６】
ＯＬＴとは別体の障害ＯＮＵ特定装置１１１を用意することで、既存ＯＬＴを使用するＰＯＮシステムに対して障害ＯＮＵを特定することが可能になる。
【００７７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００７８】
１０：ＯＬＴ
１２：共用光ファイバ
１４：光カプラ
１６−１〜１６−ｎ：分岐光ファイバ
１８−１〜１８−ｎ：ＯＮＵ
２０：ネットワークネットワークインターフェース（ＮＮＩ）
２２：下り転送装置
２４：ＣＰＵ
２６：電気／光変換器（Ｅ／Ｏ変換器）
２８：ＷＤＭ（波長分割多重）光カプラ
３０：光／電気変換器（Ｏ／Ｅ変換器）
３２：スイッチ
３４：上り転送装置
３６：メモリ
３６ａ：ＯＮＵ情報
３６ｂ：パワー計測値
３８：パワー計
４０：ネットワークネットワークインターフェース（ＮＮＩ）
１１０：ＯＬＴ
１１１：障害ＯＮＵ特定装置
１２２：フレーム生成装置
１２４：ＣＰＵ
１２６：電気／光変換器（Ｅ／Ｏ変換器）
１２８：ＷＤＭ（波長分割多重）光カプラ
１３０：光／電気変換器（Ｏ／Ｅ変換器）
１３６：メモリ
１３６ａ：ＯＮＵ情報
１３６ｂ：パワー計測値
１３８：パワー計
【図１】
0005434461.tif 000002
【図２】
0005434461.tif 000003
【図３】
0005434461.tif 000004
【図４】
0005434461.tif 000005
【図５】
0005434461.tif 000006
【図６】
0005434461.tif 000007
【図７】
0005434461.tif 000008